(57)【要約】【課題】  必要な建築面積を確保しつつ良好な日照・採光および通風条件を得て、居住性を高めることのできる住宅を提供でき、かつ、かかる住宅の建ち並ぶ街区において街並みや景観等の魅力を向上させる。【解決手段】  本発明の住宅地は、街区２を略矩形状に区画割して形成された複数の住宅用敷地３に建物５がそれぞれ配置計画され、各敷地３には、隣地境界線４に対し角度をつけて建物５が配置されることにより敷地３内に略三角形の庭空間Ｇ（Ｇ１，Ｇ２）が設けられ、田の字状に隣接した４区画の敷地相互間にまたがって庭空間Ｇ（Ｇ１，Ｇ２）の集合による略矩形状の住環境生成領域Ｌが形成されている。【選択図】  図２
2009155837.tif 000002
【特許請求の範囲】
【請求項１】
街区を略矩形状に区画割して形成された複数の住宅用敷地に建物がそれぞれ配置計画された住宅地であって、
各敷地には、隣地境界線に対し角度をつけて建物が配置されることにより敷地内に略三角形の庭空間が設けられ、田の字状に隣接した４区画の敷地相互間にまたがって前記庭空間の集合による略矩形状の住環境生成領域が形成されていることを特徴とする住宅地。
【請求項２】
請求項１に記載の住宅地において、
前記街区における区画割は、景観の良好な方向等、一定の方位軸をもって計画され、前記建物はこの方位軸に対して一定の角度をつけて配置されることを特徴とする住宅地。
【請求項３】
請求項２に記載の住宅地において、
前記区画割は街区の南北方位軸に対し角度をつけて計画されるとともに、前記建物の軸線が南北方位軸に合致させて計画されたことを特徴とする住宅地。
【請求項４】
請求項１〜３のいずれか一つの請求項に記載の住宅地において、
前記庭空間は建物を挟んで敷地内の北側および南側に広く確保されて、建物に南北方向の通風軸が形成されたことを特徴とする住宅地。
【請求項５】
請求項１〜３のいずれか一つの請求項に記載の住宅地において、
前記庭空間は建物を挟んで敷地内の東側および西側に広く確保されて、建物に東西方向の通風軸が形成されたことを特徴とする住宅地。
【請求項６】
請求項１〜５のいずれか一つの請求項に記載の住宅地において、
前記住環境生成領域には、隣地境界線上に舗石または低い生垣あるいは植栽が連続して配設されたことを特徴とする住宅地。
【発明の詳細な説明】
【技術分野】
【０００１】
本発明は、良好な住環境を形成する住宅地に関する。
【背景技術】
【０００２】
従来、住宅の宅地を造成してニュータウン等の住宅地を開発する場合、図３（ａ）〜（ｃ）に示すように、宅地１０１が矩形状に区画割して形成され、隣接する宅地１０１が正対して配置されていることが多い。このような宅地１０１に住宅１０を建築する際には、日当たりを考慮して宅地１０１の南側に庭をとり、住宅の北側の外壁が宅地１０１の北側の境界線に沿うように建物を配置したり、北側に設備空間を配置したりして設計されるのが通常の手法である。しかし、互いに隣接して南北方向に正対して配置される宅地１０１においては、北側の宅地１０１に、南側の宅地１０１に建築された住宅１０の影がかかり、充分な日照を常に確保することができず、日陰となる部分では例えば芝生や樹木の育成が進まないといった問題点もあった。
【０００３】
また、北側に配置される宅地１０１の東西方向にも正対して隣接する宅地１０１が存在した場合、北側宅地１０１の住宅１０は、南側のみならず東西側の住宅１０からの影響も受け、隣家により日差しや風通しが遮られる欠点もがあった。特に、東側または西側の外壁が隣家の外壁と重なり合う部分では、隣家との間隔が小さくなることから、プライバシーの保護を考慮しなければならず、開口部の配置や大きさ等に設計上の制約があった。
【０００４】
さらに、このように区画配置された宅地１０１の住宅１０は、互いに似たような居室の配置形態や外観を呈することとなりやすく、住宅１０の南北方向及び東西方向に面する外壁面が略同一面上に連続するような単調な街並みになってしまうという問題点もあった。
【０００５】
このような種々の問題点に対し、近年では、造成地を斜めに区画割して宅地を造成し、例えば図４に示すような平行四辺形状の宅地１０２を形成することが提案されている。このように区画割して宅地１０２を造成した場合、建物を敷地形状に合わせて隣地境界線に沿う方向に角度をつけて配置するようなことがなされる。これにより、各宅地１０２における住宅１０を、いわゆる雁行配置とし、南北方向に隣接した住宅１０に対しても日照や採光を確保できるようにしたり、十分な通風を得たりしようとしたものである（例えば特許文献１参照。）。
【特許文献１】特開２００２−２２０９３３号公報
【発明の開示】
【発明が解決しようとする課題】
【０００６】
しかし、上記のような平行四辺形状の宅地とするには、宅地の造成時からの計画でなければ対応できず、完成された造成地においてはやはり矩形状の宅地が大多数を占めるため、上記の手法を採用できないケースが多い。また、上記のような居住性に関わる種々の問題点を解消するために、敷地内における建物の形状に出隅や入隅を多く設けて複雑にしてしまうと、建築費が嵩む原因となって好ましくない。
【０００７】
また、日本においては、地域によって自然環境の差が大きく、例えば夏場の風向きは、関東では南北に風が流れる傾向にあるのに対し、関西では東西に風が流れる傾向にあることから、夏場を過ごしやすくするためには、こうした地域の差を考慮して建物を計画していくことが好ましい。加えて、内部に冷暖房設備や強制換気システムを設けて住環境を快適なものにすることが望まれる一方で、自然の熱や風を極力生かして自然と親しみながら生活したいという要望も少なくない。近年の地球環境問題を考慮すれば、できるだけ自然の力を利用しつつ住み良い環境を提供できるように、住宅地の計画段階で十分な対策が施されていることが望ましい。
【０００８】
そこで、本発明は、上記のような問題点にかんがみてなされたものであり、区画割して形成された住宅の宅地に対し、必要な建築面積を確保しつつ、良好な日照・採光および通風条件を得て、居住性を高めることのできる住宅を提供でき、かつ、かかる住宅の建ち並ぶ街区において街並みや景観等の魅力を向上させるとともに、居住者相互のコミュニティを形成しうる住宅地とすることを目的としている。
【課題を解決するための手段】
【０００９】
上記した目的を達成するため、本発明は、街区を略矩形状に区画割して形成された複数の住宅用敷地に建物がそれぞれ配置計画された住宅地であって、各敷地には、隣地境界線に対し角度をつけて建物が配置されることにより敷地内に略三角形の庭空間が設けられ、田の字状に隣接した４区画の敷地相互間にまたがって前記庭空間の集合による略矩形状の住環境生成領域が形成されていることを特徴としている。
【００１０】
このように住環境生成領域を設けることにより、敷地に建てられる住宅においては、住環境生成領域を介して、良好な日照、採光、および通風条件を得ることができる。また、住環境生成領域を通して自然を住環境に取り込むことができ、隣接する敷地の庭空間を借景とし、良好な景観と視線の抜け感が得られて、緑の多い豊かで快適な居住性を確保することができる。
【００１１】
また、本発明は前記構成の住宅地において、前記街区における区画割は、景観の良好な方向等、一定の方位軸をもって計画され、前記建物はこの方位軸に対して一定の角度をつけて配置されることを特徴としている。
【００１２】
このように街区が区画割されて建物が配置されることにより、各敷地においては前記住環境生成領域が好ましい条件で確保されるとともに、街区全体としての街並みや景観等の魅力を向上させることができる。また、区画割の方位軸は、例えば景観の良好な方角があればその方位に合わせるなど造成地ごとの周辺状況や、日照、採光、通風等の風土条件、地盤、地形、文化財、植生等の環境条件、あるいは防災や避難等の安全性、周辺道路や地域施設との関係性等の各種の設計条件に合わせて適宜決定することができ、決定された一定の方位軸に対して建物の配置角度が一定に設定される。
【００１３】
より具体的には、前記構成の住宅地において、前記区画割が街区の南北方位軸に対し角度をつけて計画されるとともに、前記建物の軸線が南北方位軸に合致させて計画されることが好ましい。
【００１４】
これにより、建物において良好な日照および採光が可能となり、街区のいずれの敷地においてもいずれかの方向に住環境生成領域を設けて居住性を高めることができる。
【００１５】
また、本発明は前記構成の住宅地において、前記庭空間が建物を挟んで敷地内の北側および南側に広く確保されて、建物に南北方向の通風軸が形成されたことを特徴としている。あるいは、前記庭空間は、建物を挟んで敷地内の東側および西側に広く確保されて、建物に東西方向の通風軸が形成されてもよい。
【００１６】
これにより、街区に計画されるいずれの建物においても、住環境生成領域を通して夏には涼しい風を取り込むことができ、自然の力で建物を冷却して快適な居住性を得ることが可能となる。
【００１７】
さらに、本発明は前記構成の住宅地において、前記住環境生成領域には、隣地境界線上に舗石または低い生垣あるいは植栽が連続して配設されたことを特徴としている。
【００１８】
これにより、敷地に建てられる住宅においては、庭空間をより一層広がり感のある庭として捉えることができ、視線の抜けや良好な通風性を得られ、隣接する敷地を含めた一体的な広い矩形状の庭のように機能させることができる。
【発明の効果】
【００１９】
上述のように構成される本発明の住宅地によれば、必要な建築面積を確保しつつ、良好な日照・採光および通風条件を得て、居住性を高めることのできる住宅の敷地を提供でき、かつ、かかる住宅の建ち並ぶ街区において街並みや景観等の魅力を向上させるとともに、居住者相互のコミュニティを形成することも可能にする。
【発明を実施するための最良の形態】
【００２０】
以下、本発明に係る住宅地を実施するための最良の形態について、図面を参照しつつ説明する。
【００２１】
図１は本発明の住宅地を説明する模式図であり、図２は一実施形態を示す平面図である。
【００２２】
本発明において、複数本の道路１…１により造成地が区画されて街区２が形成されており、さらに街区２が複数の宅地に敷地割されて住宅用の敷地３…３が形成されている。
【００２３】
例示するように、複数戸の住宅がそれぞれ建築される敷地３は、変形状でなく単純な正方形あるいは長方形状に近い略矩形状に区画割して形成されている。街区２における区画割は、一定の方位軸をもって計画されており、建物５はこの方位軸に対して一定の角度をつけて配置される。
【００２４】
例示の形態では、区画割は、街区２の南北方位軸Ｄに対して角度をつけて計画されている。すなわち、各敷地３における東側および西側に位置する隣地境界線４は、南北方位軸Ｄに対して一定の角度をなすようにして決定され、これにより隣接する敷地３すべてが略矩形状で、かつ南北方位軸Ｄと一致しない向きに区画割されている。
【００２５】
また、区画割の方位軸は、上記に限らず、例えば景観の良好な方向があればその方位に合わせるなどしてもよく、造成地ごとの周辺状況、日照、採光、通風等の風土条件、地盤、地形、文化財、植生等の環境条件、あるいは防災や避難等の安全性、周辺道路や地域施設との関係性等の各種の設計条件に合わせて適宜決定することができ、決定された一定の方位軸に対して建物５の配置角度が一定に設定される。
【００２６】
図示するように、敷地３…３において、住宅の建物５は、隣地境界線４に対して一定の角度をつけて配置されている。例示の形態において建物５は、南北方位軸Ｄと平行な軸線Ａを基準とする配置形態をとっている。この場合の建物５の配置角度は、建物５の軸線Ａを南北方位軸Ｄと同方向に振ることにより、おのずから決定されている。ここで、建物５の軸線Ａは、建物５の正面と背面とを貫いて秩序づけられる方向性を意図している。
【００２７】
これにより各敷地３内には、略三角形の庭空間Ｇが形成される。例えば図１に示す敷地３においては、建物５は敷地３に対して南北方位軸Ｄに合致する軸線Ａをもって配置されることにより、この建物５の北側、東側、南側、および西側に、隣地境界線４との間の空間が形成される。形成された各空間は、敷地３の角部を含む略三角形をなし、各住戸の庭空間Ｇとして植栽等が施される。特に、北側および南側の庭空間Ｇ１，Ｇ２は、比較的大きく確保できるように配置されている。
【００２８】
図２に示すように、街区２のいずれの敷地３…３にも、このように略三角形の庭空間Ｇ…Ｇ（Ｇ１，Ｇ２）が形成されている。そして、敷地３…３同士が田の字状に突き合わされるように隣接した敷地相互間においては、各敷地３の４つの庭空間Ｇ１，Ｇ２，Ｇ，Ｇが相接することになる。本発明において、これらの庭空間Ｇ１，Ｇ２，Ｇ，Ｇの集合部は、４区画の敷地３…３にまたがる住環境生成領域Ｌとして積極的に計画されている。
【００２９】
住環境生成領域Ｌにおいては、隣地境界線４上に視覚的な隔たりとなる隔壁を設けないようにし、代わりに小舗石を連続して配設したり、高さの低い生垣や小樹木を配したりするなどして、隣地境界線４を示すようになされている。これにより、住環境生成領域Ｌが、単なる４つの庭空間Ｇ１，Ｇ２，Ｇ，Ｇの集合部ではなく、隣接する敷地３を含めた一体的な広い矩形状の庭のように機能する。
【００３０】
まず、この住環境生成領域Ｌは、各住戸に対して緑の多い広い庭を提供でき、自然の多い街並みを形成することができる。例えば、図３（ｃ）に示したように、宅地１０１が南入りや北入り区画で形成されていると、住宅１０の東西方向の壁面が隣接する敷地との隔壁や隣家の外壁と平行に重なり合って閉塞感をもたらし、住宅１０の東西側の敷地はデッドスペースとなってしまっていた。これに対し、本発明のように住環境生成領域Ｌを設けたことで、各住戸においては東西南北いずれかの方向に緑の豊富な空間を得ることができるようになる。
【００３１】
建物５には、住環境生成領域Ｌに面して、居住者が集うことの多いリビングやダイニング等の居室が設けられる。また、洗面室や風呂等の水まわり設備空間は、住環境生成領域Ｌから離れた場所に配置することが好ましい。これにより、住環境生成領域Ｌに面した居室からは、隣接する敷地３の庭空間Ｇ（Ｇ１，Ｇ２）を借景とし、良好な景観と視界の抜け感が得られるようになる。また、景観の良い方向を建物５の軸線Ａに合わせて配置している場合であれば、いずれの建物５からも、遠方の良好な景観も含めることが可能となる。
【００３２】
また、住環境生成領域Ｌを挟んで、隣接する建物５とは東西方向にずれて建物５が配置されているので、隣棟間隔が確保されてプライバシーが保たれるとともに、敷地３の外部方向へ視線を遠くまで導くことができる。
【００３３】
また、このように住環境生成領域Ｌによって隣棟間隔を確保できるので、敷地３内に風の流れを生成することができる。この場合、さらに、土地ごとの自然環境や気候条件に応じ、建物５に設ける開口部の配置・形態に配慮することにより、好ましい通風条件を得られ、各住戸に通風軸Ｗを形成することができる。例えば、北側の山間部から流れてくる風がある場合、住環境生成領域Ｌを介してこの風を建物５に取り込むように開口部を配置すれば、山間部からの涼しい風を居室に取り入れて夏の暑さを解消することも可能になる。例示の形態のように、南北方向に建物５の軸線を合わせ、建物５の北側と南側に庭空間Ｇ１，Ｇ２が形成されていると、南北方向に通風軸Ｗを形成することができ、これにより、自然の力で建物５を冷却することができ、快適な居住性を提供することが可能となる。
【００３４】
さらに、かかる住環境生成領域Ｌは、冬場には居室に暖かな日差しを取り入れるのに有効に利用される。夏に涼しい風を取り込む開口部は、冬には住環境生成領域Ｌにより十分な日照と採光を可能にする。したがって、建物５の住環境生成領域Ｌに面する居室において、日射を有効に利用して、冬場においても日中の居室の快適性を維持することができる。
【００３５】
また、建物５には住環境生成領域Ｌに面して居室から連続させてデッキやテラスを設けたり、庭空間Ｇ（Ｇ１，Ｇ２）にベンチを設けたりしてもよい。これにより、各住戸における生活領域を、室内だけでなく庭空間Ｇ（Ｇ１，Ｇ２）から住環境生成領域Ｌに向けて拡げることができ、居住者相互のコミュニティを生成することが可能になる。また、かかる住環境生成領域Ｌは、街区２の内側に配置されているので、通過交通もなく、外部からの侵入も遮られて、安心したゆとりのあるコミュニティ空間とすることができる。
【００３６】
このように、本発明によれば、自然の熱や風を極力生かして自然と親しみながら生活することの可能な住宅地を提供することができ、良好な日照・採光および通風条件を得て、居住性を高めることができる。また、各敷地３においては住環境生成領域Ｌが好ましい条件で確保されるとともに、かかる住宅地に建ち並ぶ建物５…５は、変化のある良好な街並みおよび景観を創り出すことができ、住民相互のコミュニティを形成して、住宅地の魅力を高めることができる。
【００３７】
なお、上記の実施形態においては、敷地３の北側と南側に庭空間Ｇ（Ｇ１，Ｇ２）を広くとる例を示したが、かかる庭空間Ｇは建物５を挟んで東側および西側に広くとるように構成されてもよく、地域ごとに異なる自然環境や気象条件に応じて選択されることが好ましい。この場合には、建物５に東西方向の通風軸Ｗが形成され、前記と同様に室内に快適な風環境を生成することができる。また、本発明において、区画割の方位軸および建物５の軸線Ａは、上記例に限定されるものではなく、隣地境界線に対し角度をつけて建物５が配置されて住環境生成領域Ｌが設けられる配置形態であれば、どのような方位軸および軸線Ａであってもよいことは言うまでもない。
【産業上の利用可能性】
【００３８】
本発明は、造成地を区画して形成される住宅地に対して好適に利用することができる。
【図面の簡単な説明】
【００３９】
【図１】本発明に係る住宅地を説明する模式図である。
【図２】本発明の一実施形態を示す平面図である。
【図３】従来の住宅地の区画割例を示す平面図である。
【図４】従来の住宅地の区画割例を示す平面図である。
【符号の説明】
【００４０】
１  道路
２  街区
３  敷地
４  隣地境界線
５  建物
Ａ  軸線
Ｇ  庭空間
Ｌ  住環境生成領域
Ｗ  通風軸
Ｄ  南北方位軸
【図１】
2009155837.tif 000003
【図２】
2009155837.tif 000004
【図３】
2009155837.tif 000005
【図４】
2009155837.tif 000006